(57)【要約】  増加した帯域幅のＷＬＡＮスキャンプロセスの間、アクティブなネットワークを有していそうな候補チャネルを優先的に位置付けるためのシステムおよび方法を提供する。ＦＦＴ捕捉とパケットを検出することに関係付けられていると相関動作との任意の組み合わせを伴うかもしれない、受信した信号のスペクトル分析を使用して、候補チャネルを検出してもよい。候補チャネルを識別すると、ワイヤレス通信デバイスは、そのチャネルにスイッチして、１つ以上のパケットを受信して処理し、関係付けに対して利用可能なＢＳＳの存在を決定してもよい。【選択図】図４
2016523499.tif 000002
【特許請求の範囲】
【請求項１】
ワイヤレス通信システム中の利用可能なネットワークに対してスキャンするための方法において、
増加した帯域幅に渡って信号分析を実行することと、
前記信号分析に少なくとも部分的に基づいて、候補チャネルを検出することと、
識別したワイヤレスチャネル上で送信されるビーコンから、識別情報を受信することとを含む方法。
【請求項２】
信号分析を実行することは、前記増加した帯域幅に渡って、高速フーリエ変換（ＦＦＴ）サンプルを分析することを含む請求項１記載の方法。
【請求項３】
前記候補チャネルを検出することは、前記ＦＦＴサンプルの信号の大きさが、しきい値を超えているか否かに少なくとも部分的に基づいている請求項２記載の方法。
【請求項４】
信号分析を実行することは、前記増加した帯域幅に渡って、相関動作を実行することをさらに含む請求項２記載の方法。
【請求項５】
相関動作を実行することは、前記増加した帯域幅のサブセット上で相関動作をシーケンシャルに実行することを含む請求項４記載の方法。
【請求項６】
相関動作を実行することは、前記増加した帯域幅のサブセット上でパラレル相関動作を実行することを含む請求項４記載の方法。
【請求項７】
前記候補チャネルを検出することは、前記相関動作の有限インパルス応答（ＦＩＲ）電力に少なくとも部分的に基づいている請求項４記載の方法。
【請求項８】
前記候補チャネルにスイッチして、前記識別情報を受信することをさらに含む請求項１記載の方法。
【請求項９】
前記パラレル相関動作からの出力を同時にデコードして、前記識別情報を受信することをさらに含む請求項６記載の方法。
【請求項１０】
前記受信した識別情報に少なくとも部分的に基づいて、利用可能なネットワークのリストを管理することをさらに含む請求項１記載の方法。
【請求項１１】
ワイヤレス通信システム中の利用可能なネットワークに対してスキャンするワイヤレス通信デバイスにおいて、
信号を受信するトランシーバと、
増加した帯域幅に渡って信号分析を実行するスキャン制御装置とを具備し、
前記スキャン制御装置は、前記信号分析に少なくとも部分的に基づいて、候補チャネルを検出し、前記トランシーバは、識別したワイヤレスチャネル上で送信されるビーコンから、識別情報を受信するワイヤレス通信デバイス。
【請求項１２】
前記ワイヤレス通信デバイスは、前記増加した帯域幅に渡って、高速フーリエ変換（ＦＦＴ）サンプルを出力するＦＦＴユニットをさらに具備し、前記スキャン制御装置は、前記ＦＦＴサンプルを分析することによって、前記信号分析を実行する請求項１１記載のワイヤレス通信デバイス。
【請求項１３】
前記スキャン制御装置は、前記ＦＦＴサンプルの信号の大きさが、しきい値を超えているか否かに少なくとも部分的に基づいて、前記候補チャネルを検出する請求項１２記載のワイヤレス通信デバイス。
【請求項１４】
前記ワイヤレス通信デバイスは、パケット検出ユニットをさらに具備し、前記スキャン制御装置は、前記増加した帯域幅に渡って、相関動作を実行することによって、前記信号分析をさらに実行する請求項１２記載のワイヤレス通信デバイス。
【請求項１５】
前記パケット検出ユニットは、前記増加した帯域幅のサブセット上で相関動作をシーケンシャルに実行することによって、前記相関動作を実行する請求項１４記載のワイヤレス通信デバイス。
【請求項１６】
前記パケット検出ユニットは、前記増加した帯域幅のサブセット上でパラレル相関動作を実行することによって、前記相関動作を実行する請求項１４記載のワイヤレス通信デバイス。
【請求項１７】
前記スキャン制御装置は、前記相関動作の有限インパルス応答（ＦＩＲ）電力に少なくとも部分的に基づいて、前記候補チャネルを検出する請求項１４記載のワイヤレス通信デバイス。
【請求項１８】
前記スキャン制御装置はさらに、前記トランシーバを前記候補チャネルにスイッチさせて、前記識別情報を受信させる請求項１１記載のワイヤレス通信デバイス。
【請求項１９】
前記ワイヤレス通信デバイスは、前記パラレル相関動作からの出力を同時にデコードして、前記識別情報を受信する複数のデコードコアをさらに具備する請求項１６記載のワイヤレス通信デバイス。
【請求項２０】
前記スキャン制御装置は、前記受信した識別情報に少なくとも部分的に基づいて、利用可能なネットワークのリストをさらに管理する請求項１１記載のワイヤレス通信デバイス。
【請求項２１】
ワイヤレス通信システム中のワイヤレス通信デバイスにより、利用可能なネットワークに対してスキャンするための非一時的プロセッサ読取可能記憶媒体において、
命令をその上に有する前記プロセッサ読取可能記憶媒体は、プロセッサによって実行されるとき、前記ワイヤレス通信デバイスに、
増加した帯域幅に渡って信号分析を実行させ、
前記信号分析に少なくとも部分的に基づいて、候補チャネルを検出させ、
識別したワイヤレスチャネル上で送信されるビーコンから、識別情報を受信させる記憶媒体。
【請求項２２】
前記信号分析を実行させるための命令は、前記増加した帯域幅に渡って、高速フーリエ変換（ＦＦＴ）サンプルを分析させるための命令を含む請求項２１記載の記憶媒体。
【請求項２３】
前記候補チャネルを検出させるための命令は、前記ＦＦＴサンプルの信号の大きさが、しきい値を超えているか否かに少なくとも部分的に基づいている請求項２２記載の記憶媒体。
【請求項２４】
前記信号分析を実行させるための命令は、前記増加した帯域幅に渡って、相関動作を実行させるための命令をさらに含む請求項２２記載の記憶媒体。
【請求項２５】
前記相関動作を実行させるための命令は、前記増加した帯域幅のサブセット上で相関動作をシーケンシャルに実行させるための命令を含む請求項２４記載の記憶媒体。
【請求項２６】
前記相関動作を実行させるための命令は、前記増加した帯域幅のサブセット上でパラレル相関動作を実行させるための命令を含む請求項２４記載の記憶媒体。
【請求項２７】
前記候補チャネルを検出させるための命令は、前記相関動作の有限インパルス応答（ＦＩＲ）電力に少なくとも部分的に基づいている請求項２４記載の記憶媒体。
【請求項２８】
前記候補チャネルにスイッチさせて、前記識別情報を受信させるための命令をさらに含む請求項２１記載の記憶媒体。
【請求項２９】
前記パラレル相関動作からの出力を同時にデコードさせて、前記識別情報を受信させるための命令をさらに含む請求項２６記載の記憶媒体。
【請求項３０】
前記受信した識別情報に少なくとも部分的に基づいて、利用可能なネットワークのリストを管理させるための命令をさらに含む請求項１記載の記憶媒体。
【請求項３１】
ワイヤレス通信システム中の利用可能なネットワークに対してスキャンするワイヤレス通信デバイスにおいて、
信号を受信するトランシーバと、
前記トランシーバによって受信した信号上の増加した帯域幅に渡って、信号分析を実行する手段と、
前記信号分析に少なくとも部分的に基づいて、候補チャネルを検出する手段と、
識別したワイヤレスチャネル上で送信され、前記トランシーバによって受信されるビーコンから、識別情報を受信する手段とを具備するワイヤレス通信デバイス。
【請求項３２】
前記信号分析を実行する手段は、前記増加した帯域幅に渡って、高速フーリエ変換（ＦＦＴ）サンプルを分析する請求項３１記載のワイヤレス通信デバイス。
【請求項３３】
前記候補チャネルを検出する手段は、前記ＦＦＴサンプルの信号の大きさが、しきい値を超えているか否かに少なくとも部分的に基づいて検出する請求項３２記載のワイヤレス通信デバイス。
【請求項３４】
前記信号分析を実行する手段は、前記増加した帯域幅に渡って、相関動作をさらに実行する請求項３２記載のワイヤレス通信デバイス。
【請求項３５】
前記相関動作を実行する手段は、前記増加した帯域幅のサブセット上で相関動作をシーケンシャルに実行する請求項３４記載のワイヤレス通信デバイス。
【請求項３６】
前記相関動作を実行する手段は、前記増加した帯域幅のサブセット上でパラレル相関動作を実行する請求項３４記載のワイヤレス通信デバイス。
【請求項３７】
前記候補チャネルを検出する手段は、前記相関動作の有限インパルス応答（ＦＩＲ）電力に少なくとも部分的に基づいて検出する請求項３４記載のワイヤレス通信デバイス。
【請求項３８】
前記トランシーバを前記候補チャネルにスイッチさせて、前記識別情報を受信させる手段をさらに具備する請求項３１記載のワイヤレス通信デバイス。
【請求項３９】
前記トランシーバにより、前記パラレル相関動作からの出力を同時にデコードして、前記識別情報を受信する手段をさらに具備する請求項３６記載のワイヤレス通信デバイス。
【請求項４０】
前記受信した識別情報に少なくとも部分的に基づいて、利用可能なネットワークのリストを管理する手段をさらに具備する請求項３１記載のワイヤレス通信デバイス。
【発明の詳細な説明】
【関連出願】
【０００１】
［００１］
本出願は、２０１３年６月２８日に出願された、「ワイヤレススキャンのためのシステムおよび方法」と題する米国特許出願番号第１３／９３１，３２０号の利益と優先権を主張し、この米国特許出願は、本発明の譲受人に譲渡され、その全体が参照によりここに組み込まれている。
【本開示の分野】
【０００２】
［００２］
本開示は、一般的にワイヤレス通信システムに関連し、より具体的には、スループットを増加させるためのシステムおよび方法に関連する。
【背景】
【０００３】
［００３］
電気電子技術者協会（ＩＥＥＥ）８０２．１１ファミリにおける仕様書に準拠するワイヤレスローカルエリアネットワーク（ＷＬＡＮ）は、アクセスポイント（ＡＰ）の役割において機能するデバイスによって管理される基本サービスセット（ＢＳＳ）を典型的に伴う。ＷＬＡＮプロトコルを使用するワイヤレス通信デバイスが、それらの関係付けられているネットワークのサービスセット識別子（ＳＳＩＤ）をアドバタイズする範囲内のアクセスポイントからブロードキャストメッセージまたはビーコンを受信できるように、各ＢＳＳを、ＳＳＩＤによって識別してもよい。ワイヤレス通信デバイスは、その後、手動で、または自動で、検出したネットワークのうちの１つ以上を選択して、関係付けプロセスを実行し、１つ以上の通信リンクを生成させてもよい。利用可能なネットワークの存在を決定するために、ワイヤレス通信デバイスは、各利用可能なＷＬＡＮチャネル上で時間期間をかけることによるようなスキャンプロセスを利用して、ＢＳＳを管理するＡＰによって送られる、ビーコンまたはプローブ応答を受信する。関係付けより前に使用可能なネットワークを見つけるためにスキャンプロセスを使用してもよく、または、１つのネットワークを関係付けた後、バックグラウンドプロセスとしてスキャンプロセスを実行して、より多くの所望の特性を有するかもしれない代替ネットワークの利用可能性を決定してもよい。スキャンはまた、チャネル条件およびプロフィールネットワーク特性を評価するために実行してもよい。
【０００４】
［００４］
従来、８０２．１１プロトコルを使用するワイヤレス通信デバイスは、１１チャネルを含む２．４ＧＨｚ帯域、２５チャネルを含む５ＧＨｚ帯域（５ＧＨｚのうちの１６チャネルは、アクティブなスキャンを認めない動的周波数選択ルールにしたがう）のような、複数周波数帯域上で動作できる。したがって、利用可能なワイヤレスチャネルの包括的なスキャンを完了するには、秒のオーダーのような、相当な時間量が要求される。この時間の間、ワイヤレス通信デバイスのトランシーバはスキャンプロセスに振り向けられて、他の動作を実行できないかもしれない。さらに、スキャンプロセスを実行するとき、ワイヤレス通信デバイスは、電力セーブモードよりもむしろアクティブモードでなければならないことから、かなりの量のエネルギー消費も伴うかもしれない。したがって、利用可能なネットワークをより早く識別することによるような、スキャンプロセスを促進するシステムおよび方法を提供することが望ましいだろう。本開示はこれらおよび他の目的を満たすものである。
【概要】
【０００５】
［００５］
本開示は、増加した帯域幅に渡って、ワイヤレス通信システムにおいて利用可能なネットワークに対してスキャンするための方法を含んでいる。例えば、適切な方法は、増加した帯域幅に渡って信号分析を実行することと、信号分析に少なくとも部分的に基づいて、候補チャネルを検出することと、識別したワイヤレスチャネル上で送信されるビーコンから、識別情報を受信することとを含んでいてもよい。
【０００６】
［００６］
１つの態様において、信号分析を実行することは、増加した帯域幅に渡って、高速フーリエ変換（ＦＦＴ）サンプルを分析することを伴ってもよい。さらに、候補チャネルを検出することは、ＦＦＴサンプルの信号の大きさが、しきい値を超えているか否かに少なくとも部分的に基づいていてもよい。
【０００７】
［００７］
別の態様において、信号分析を実行することは、増加した帯域幅に渡って、相関動作を実行することも伴ってもよい。相関動作は、増加した帯域幅のサブセット上で相関動作をシーケンシャルに実行することを含んでいてもよく、または、増加した帯域幅のサブセット上でパラレル相関動作を実行することを含んでいてもよい。さらに、候補チャネルを検出することは、相関動作の有限インパルス応答（ＦＩＲ）電力に少なくとも部分的に基づいていてもよい。
【０００８】
［００８］
本開示の方法は、候補チャネルにスイッチして、識別情報を受信することを伴ってもよい。代替的に、方法は、パラレル相関動作からの出力を同時にデコードして、識別情報を受信することを伴ってもよい。
【０００９】
［００９］
所望のように、受信した識別情報に少なくとも部分的に基づく、利用可能なネットワークのリストを管理してもよい。
【００１０】
［００１０］
本開示は、増加した帯域幅に渡って、利用可能なネットワークに対してスキャンするシステムも含んでいてもよい。例えば、適切なワイヤレス通信デバイスは、信号を受信するトランシーバと、増加した帯域幅に渡って信号分析を実行するスキャン制御装置とを具備し、スキャン制御装置は、信号分析に少なくとも部分的に基づいて、候補チャネルを検出してもよく、トランシーバは、識別したワイヤレスチャネル上で送信されるビーコンから、識別情報を受信してもよい。
【００１１】
［００１１］
１つの態様において、ワイヤレス通信デバイスは、増加した帯域幅に渡って、ＦＦＴサンプルを出力するＦＦＴユニットを含んでいてもよく、スキャン制御装置は、ＦＦＴサンプルを分析することによって、信号分析を実行してもよい。スキャン制御装置は、ＦＦＴサンプルの信号の大きさが、しきい値を超えているか否かに少なくとも部分的に基づいて、候補チャネルを検出してもよい。
【００１２】
［００１２］
別の態様において、ワイヤレス通信デバイスは、パケット検出ユニットを含んでいてもよく、スキャン制御装置は、増加した帯域幅に渡って、相関動作を実行することによって、信号分析も実行してもよい。パケット検出ユニットは、増加した帯域幅のサブセット上で相関動作をシーケンシャルに実行することによって、相関動作を実行してもよく、または、増加した帯域幅のサブセット上でパラレル相関動作を実行することによって、相関動作を実行してもよい。さらに、スキャン制御装置は、相関動作の有限インパルス応答（ＦＩＲ）電力に少なくとも部分的に基づいて、候補チャネルを検出してもよい。
【００１３】
［００１３］
スキャン制御装置はまた、トランシーバを候補チャネルにスイッチさせて、識別情報を受信させてもよい。代替的に、パケット検出ユニットが相関動作を実行するとき、ワイヤレス通信デバイスは、パラレル相関動作からの出力を同時にデコードして、識別情報を受信する複数デコードコアを含んでいてもよい。
【００１４】
［００１４］
所望のように、スキャン制御装置は、受信した識別情報に少なくとも部分的に基づいて、利用可能なネットワークのリストを管理してもよい。
【００１５】
［００１５］
本開示は、ワイヤレス通信システム中のワイヤレス通信デバイスにより、利用可能なネットワークに対してスキャンするための非一時的プロセッサ読取可能記憶媒体も含んでいる。命令をその上に有するプロセッサ読取可能記憶媒体は、プロセッサによって実行されるとき、ワイヤレス通信デバイスに、増加した帯域幅に渡って信号分析を実行させ、信号分析に少なくとも部分的に基づいて、候補チャネルを検出させ、識別したワイヤレスチャネル上で送信されるビーコンから、識別情報を受信させる。
【００１６】
［００１６］
１つの態様において、信号分析を実行するための命令は、増加した帯域幅に渡って、高速フーリエ変換（ＦＦＴ）サンプルを分析してもよい。さらに、候補チャネルを検出するための命令は、ＦＦＴサンプルの信号の大きさが、しきい値を超えているか否かに少なくとも部分的に基づいていてもよい。信号分析を実行するための命令は、増加した帯域幅に渡って、相関動作を実行するための命令も含んでいてもよい。相関動作を実行するための命令は、増加した帯域幅のサブセット上で相関動作をシーケンシャルに実行してもよい。加えて、相関動作を実行するための命令は、増加した帯域幅のサブセット上でパラレル相関動作を実行してもよい。候補チャネルを検出するための命令は、相関動作の有限インパルス応答（ＦＩＲ）電力に少なくとも部分的に基づいていてもよい。
【００１７】
［００１７］
１つの態様において、記憶媒体は、候補チャネルにスイッチして、識別情報を受信するための命令も含んでいてもよい。
【００１８】
［００１８］
１つの態様において、記憶媒体は、パラレル相関動作からの出力を同時にデコードして、識別情報を受信するための命令も含んでいてもよい。
【００１９】
［００１９］
１つの態様において、記憶媒体は、受信した識別情報に少なくとも部分的に基づいて、利用可能なネットワークのリストを管理するための命令も含んでいてもよい。
【００２０】
［００２０］
本開示は、ワイヤレス通信システム中の利用可能なネットワークに対してスキャンするワイヤレス通信デバイスも含み、ワイヤレス通信デバイスは、信号を受信するトランシーバと、トランシーバによって受信した信号上の増加した帯域幅に渡って、信号分析を実行する手段と、信号分析に少なくとも部分的に基づいて、候補チャネルを検出する手段と、識別したワイヤレスチャネル上で送信され、トランシーバによって受信されるビーコンから、識別情報を受信する手段とを有している。
【００２１】
［００２１］
１つの態様において、信号分析を実行する手段は、増加した帯域幅に渡って、高速フーリエ変換（ＦＦＴ）サンプルを分析してもよい。さらに、候補チャネルを検出する手段は、ＦＦＴサンプルの信号の大きさが、しきい値を超えているか否かに少なくとも部分的に基づいて、検出してもよい。信号分析を実行する手段は、増加した帯域幅に渡って、相関動作も実行してもよい。加えて、相関動作を実行する手段は、増加した帯域幅のサブセット上で相関動作をシーケンシャルに実行してもよい。相関動作を実行する手段は、増加した帯域幅のサブセット上でパラレル相関動作も実行してもよい。またさらに、候補チャネルを検出する手段は、相関動作の有限インパルス応答（ＦＩＲ）電力に少なくとも部分的に基づいて、検出してもよい。
【００２２】
［００２２］
１つの態様において、ワイヤレス通信デバイスは、トランシーバを候補チャネルにスイッチさせて、識別情報を受信させる手段も有していてもよい。
【００２３】
［００２３］
１つの態様において、ワイヤレス通信デバイスは、トランシーバにより、パラレル相関動作からの出力を同時にデコードして、識別情報を受信する手段も有していてもよい。
【００２４】
［００２４］
１つの態様において、ワイヤレス通信デバイスは、受信した識別情報に少なくとも部分的に基づいて、利用可能なネットワークのリストを管理する手段も有していてもよい。
【図面の簡単な説明】
【００２５】
［００２５］
添付の図面において図解するように、本開示の好ましい実施形態の、以下のより具体的な説明から、さらなる特徴および利点が明らかになるだろう。添付図面において、図を通して、同様の参照するキャラクタは、一般的に同じ部分またはエレメントを指す。
【図１】［００２６］  図１は、１つの実施形態にしたがった、増加した帯域幅に渡ってスキャンするように構成されているワイヤレス通信デバイスの機能性ブロックを概略的に描いている。
【図２】［００２７］  図２は、１つの実施形態にしたがった、候補チャネルを検出するためのＦＦＴユニットのＦＦＴ捕捉出力を表している。
【図３】［００２８］  図３は、１つの実施形態にしたがった、パケット検出ユニットへの入力のための到来信号を概略的に描いている。
【図４】［００２９］  図４は、1つの実施形態にしたがった、自己相関動作の出力を概略的に描いている。
【図５】［００３０］  図５は、１つの実施形態にしたがった、ガードインターバル相関動作の出力を概略的に描いている。
【図６】［００３１］  図６は、１つの実施形態にしたがった、バーカーコード相関動作の出力を概略的に描いている。
【図７】［００３２］  図７は、１つの実施形態にしたがった、増加した帯域幅スキャンに対する例示的なルーチンを示すフローチャートである。
【詳細な説明】
【００２６】
［００３３］
はじめに、本開示は、特に例示した、マテリアル、アーキテクチャ、ルーチン、方法または構造に限定されるものではなく、変化してもよいことを理解すべきである。したがって、ここで説明するものと類似のまたは同等の、このような多数のオプションを、本開示の実施または実施形態において使用することができるが、好ましいマテリアルおよび方法をここで説明する。
【００２７】
［００３４］
また、ここで使用する専門用語は、本開示の特定の実施形態を説明する目的のために使用されているにすぎず、限定を意図していないことも理解すべきである。
【００２８】
［００３５］
添付の図面に関連して以下で述べる詳細な説明は、本発明の例示的な実施形態の説明として意図され、本発明が実施できる唯一の例示的な実施形態を表すことを意図していない。この説明を通して使用する用語「例示的」は、「例、事例、または実例としての役割を果たすこと」を意味し、他の例示的な実施形態と比較して必ずしも好ましいまたは有利であると解釈すべきではない。詳細な説明は、本明細書の例示的な実施形態の完全な理解を提供することを目的とした特定の詳細を含んでいる。本明細書の例示的な実施形態をこれらの特定の詳細なしで実現できることが、当業者に明らかになるだろう。いくつかの事例において、ここに提示する例示的な実施形態の新規性を曖昧にすることを避けるために、よく知られている構造およびデバイスをブロックダイヤグラム形態で示す。
【００２９】
［００３６］
本明細書および特許請求の範囲において、エレメントが別のエレメントに「接続される」または「結合される」として言及されるとき、それは他のエレメントに直接接続または結合させることができる、あるいは、介入するエレメントが存在するかもしれないことが理解されるだろう。対照的に、エレメントが別のエレメントに「直接接続される」または「直接結合される」として言及されるとき、介入するエレメントは存在しない。
【００３０】
［００３７］
以下の詳細な説明のいくつかの部分を、コンピュータメモリ内のデータビット上の動作の、手順、論理ブロック、処理、および他の記号表現に関して示す。これら説明および表現は、データ処理技術の当業者によって、それらの作業の内容を他の当業者に最も効果的に伝えるために使用される手段である。本願において、手順、論理ブロック、プロセス、またはこれに類するものは、所望の結果をもたらすステップまたは命令の自己矛盾のないシーケンスであると考えられる。ステップは、物理量の物理的な操作を要求するものである。通常、必ずではないが、これらの量は、コンピュータシステムにおいて、記憶し、伝えられ、組み合わせられ、比較され、そうでなければ操作することができる電気信号または磁気信号の形態をとる。
【００３１】
［００３８］
しかしながら、これらの用語および類似した用語のすべては、適切な物理量に関係付けられるものであり、これらの量に適用される便宜的なラベルにすぎないことを覚えておくべきである。以下の議論から明らかであるように、そうではないとの具体的に述べられない限り、本願全体を通して、「アクセスすること」、「受信すること」、「送ること」、「使用すること」、「選択すること」、「決定すること」、「正規化すること」、「掛けること」、「平均化すること」、「監視すること」、「比較すること」、「適用すること」、「更新すること」、「測定すること」、「導出すること」またはこれに類するもののような用語を利用した議論は、コンピュータシステムのレジスタおよびメモリ内で物理（電子）量として表されるデータを操作して、コンピュータシステムメモリまたはレジスタ、あるいは、他のそのような情報記憶装置、送信または表示デバイス内で物理量として類似して表される他のデータへと変換する、コンピュータシステムまたは類似する電子コンピューティングデバイスのアクションおよび処理を指していることが理解される。
【００３２】
［００３９］
ここで説明する実施形態は、１つ以上のコンピュータまたはその他のデバイスによって実行されるプログラムモジュールのような、プロセッサ読取可能媒体のいくつかの形態上に存在する、プロセッサ実行可能命令の一般的な文脈において説明することができる。一般的に、プログラムモジュールは、特定のタスクを実行する、または特定の抽象データタイプを実現する、ルーチン、プログラム、オブジェクト、コンポーネント、データ構造等を含んでいる。プログラムモジュールの機能性は、さまざまな実施形態において所望されるように、組み合わせまたは分散させてもよい。
【００３３】
［００４０］
図において、単一のブロックは、機能を実行するように説明されるが、実際の実施において、そのブロックによって実行される機能は、単一のコンポーネントにおいて、または、複数のコンポーネントに渡って実行してもよく、ならびに／あるいは、ハードウェアを使用して、ソフトウェアを使用して、または、ハードウェアとソフトウェアの組み合わせを使用して、実行してもよい。ハードウェアおよびソフトウェアのこの互換性を明確に図示するために、さまざまな例示的なコンポーネント、ブロック、モジュール、回路およびステップを、一般的に、これらの機能性に関して上記で説明している。このような機能性が、ハードウェアまたはソフトウェアとして実現されるか否かは、特定のアプリケーションおよび全体的なシステムに課せられている設計制約に依存する。熟練者が、それぞれの特定のアプリケーションに対してさまざまな方法で、説明した機能性を実現するかもしれないが、このようなインプリメンテーションの決定は、本発明の範囲からの逸脱をもたらすとして解釈すべきではない。また、例示的なワイヤレス通信デバイスは、プロセッサ、メモリおよびこれらに類するもののような周知のコンポーネントを含む、示したもの以外のコンポーネントを含んでいてもよい。
【００３４】
［００４１］
ここで説明する技術は、特定の方法で実現すると具体的に説明されない限り、ハードウェア、ソフトウェア、ファームウェア、またはこれらの任意の組み合わせで実現してもよい。モジュールまたはコンポーネントとして説明される任意の特徴も、統合論理デバイスにおいてともに、または、別個であるが相互動作可能な論理デバイスとして別々に、実現してもよい。ソフトウェアで実現する場合、実行されるとき、上記で説明した方法のうちの１つ以上を実行する命令を含む非一時的プロセッサ読取可能記憶媒体によって、少なくとも部分的に、技術を実現してもよい。非一時的プロセッサ読取可能データ記憶媒体は、パッケージングマテリアルを含んでもよい、コンピュータプログラムプロダクトの一部を形成してもよい。
【００３５】
［００４２］
非一時的プロセッサ読取可能記憶媒体は、同期動的ランダムアクセスメモリ（ＳＤＲＡＭ）、リードオンリーメモリ（ＲＯＭ）、不揮発性ランダムアクセスメモリ（ＮＶＲＡＭ）、電気的消去可能プログラム可能リードオンリーメモリ（ＥＥＰＲＯＭ（登録商標））、フラッシュメモリ、他の知られている記憶媒体、およびこれらに類するもののようなランダムアクセスメモリ（ＲＡＭ）を備えていてもよい。技術は、追加的に、または代替的に、命令またはデータ構造の形態で、コードを運びまたは通信し、コンピュータまたは他のプロセッサによって、アクセス、読取、および／または実行することができる、プロセッサ読取可能通信媒体によって少なくとも部分的に実現してもよい。
【００３６】
［００４３］
ここで開示した実施形態に関連して説明した、さまざまな例示的な論理ブロック、モジュール、回路および命令は、１つ以上のデジタル信号プロセッサ（ＤＳＰ）、汎用マイクロプロセッサ、特定用途向け集積回路（ＡＳＩＣ）、特定用途向け命令セットプロセッサ（ＡＳＩＰ）、フィールドプログラマブルゲートアレイ（ＦＰＧＡ）、または、他の同等な集積論理回路またはディスクリート論理回路のような、1つ以上のプロセッサによって実行してもよい。ここで使用する用語「プロセッサ」は、上述の構造、または、ここで説明する技術のインプリメンテーションに適した他の何らかの構造のうちのいずれかを指してもよい。加えて、いくつかの態様では、ここで説明した機能性は、ここで説明したように構成されている専用ソフトウェアモジュールまたはハードウェアモジュール内で提供してもよい。また、技術は、１つ以上の回路または論理エレメントにおいて十分に実現することができる。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【００３７】
［００４４］
便宜および明確にするのみの目的で、一番上、一番下、左、右、上、下、上方、〜より上、〜より下、真下、後方、後ろ、前、のような方向用語を、添付の図面または特定の実施形態に関して使用するかもしれない。これらのおよび類似する方向用語は、何らかの方法で、本開示の範囲を限定すると解釈すべきではなく、文脈に依存して変化してもよい。さらに、第１のおよび第２のようなシーケンシャルな用語は、類似するエレメントを区別するために使用するかもしれないが、他の順序で使用してもよく、また、文脈に依存して変化してもよい。
【００３８】
［００４５］
システム、加入者ユニット、加入者局、移動局、移動体ワイヤレス端末、移動体デバイス、ノード、デバイス、遠隔局、遠隔端末、端末、ワイヤレス通信デバイス、ワイヤレス通信装置、ユーザエージェント、または、他のクライアントデバイスのような、何らかの適切なタイプのユーザ機器を含むワイヤレス通信デバイスに関して、実施形態をここで説明する。ワイヤレス通信デバイスのさらなる例は、セルラ電話機、コードレス電話機、セッション開始プロトコル（ＳＩＰ）電話機、スマートフォン、ワイヤレスローカルループ（ＷＬＬ）局、パーソナルデジタルアシスタント（ＰＤＡ）、ラップトップ、ハンドヘルド通信デバイス、ハンドヘルドコンピューティングデバイス、衛星ラジオ、ワイヤレスモデムカード、および／または、ワイヤレスシステムを通して通信する別の処理デバイスのような、移動体デバイスを含む。さらに、実施形態は、アクセスポイント（ＡＰ）に関してもここで説明する。ＡＰは、１つ以上のワイヤレスノードと通信するために利用されてもよく、基地局、ノード、ノードＢ、進化型ノードＢ（ｅＮＢ）または他の適切なネットワークエンティティと名付けられまたは呼ばれ、これらと関係付けられている機能性を示してもよい。ＡＰは、エアインターフェースを通してワイヤレス端末と通信する。通信は、１つ以上のセクタを通して起こってもよい。ＡＰは、受信したエアインターフェースフレームをインターネットプロトコル（ＩＰ）パケットに変換することによって、ワイヤレス端末とＩＰネットワークを含んでいるかもしれない残りのアクセスネットワークとの間のルーターとして機能してもよい。ＡＰはまた、エアインターフェースに対する属性の管理を調整してもよく、ワイヤードネットワークとワイヤレスネットワークとの間のゲートウェイであってもよい。
【００３９】
［００４６］
そうではないと定義されていない限り、ここで使用する、すべての技術用語および科学用語は、本開示に関係する当業者によって一般的に理解されるものと同一の意味を有している。
【００４０】
［００４７］
最後に、本明細書および添付の特許請求の範囲において使用するように、単数形「ａ」、「ａｎ」、および「ｔｈｅ」は、そうではないと内容が明確に示さない限り、複数形の指示対象を含んでいる。
【００４１】
［００４８］
従来のＷＬＡＮワイヤレスチャネルは、２０ＭＨｚの周波数幅を有している。しかしながら、ＷＬＡＮ技術における現在の傾向は、結果として、４０ＭＨｚ、８０ＭＨｚ、および１６０ＭＨｚを含む、広い帯域幅チャネルに渡って動作することができるトランシーバを使用している。本開示の目的のために、２０ＭＨｚより大きい帯域幅を、増加した帯域幅チャネルと名付ける。増加した帯域幅能力を用いることにより、本開示の技術にしたがうワイヤレス通信デバイスは、複数の２０ＭＨｚチャネルに渡って同時にＷＬＡＮスキャンプロセスを実行できる。ビーコンまたはプローブ応答を受信するために、各ワイヤレスチャネル上にシーケンシャルにパーキングするよりもむしろ、ワイヤレス通信デバイスは、増加した帯域幅に渡るスペクトル分析に基づいて、アクティブなネットワークを有していそうな候補チャネルを優先的に位置付けてもよい。ワイヤレス通信デバイスは、その後、必要な場合、候補チャネルにスイッチして、チャネル上で受信した１つ以上のパケットを処理して、関係付けに対して利用可能なＢＳＳの存在を決定してもよい。
【００４２】
［００４９］
増加した帯域幅スキャンを実行するように構成されているワイヤレスデバイス１０２の１つの実施形態に関する詳細は、図１中に高レベル概略ブロックとして描かれている。一般的に、ワイヤレス通信デバイス１０２は、ＷＬＡＮトランシーバ１０４のファームウェアとハードウェアモジュールとにおいて、ＷＬＡＮプロトコルスタックのより低いレベルが実現される、アーキテクチャを用いてもよい。ＷＬＡＮトランシーバ１０４は、確認と、肯定応答と、ルーティングと、フォーマットと、およびこれらに類するものとを含む、データの８０２．１１フレームの取扱いおよび処理に関連する機能を実行する媒体アクセス制御装置（ＭＡＣ）１０６を含んでいてもよい。到来および送出フレームは、ＭＡＣ１０６と、関連する８０２．１１プロトコルにしたがってフレームを変調する物理（ＰＨＹ）レイヤ１０８との間で交換される。例えば、ＰＨＹレイヤ１０８は、以下でより詳細に議論する、高速フーリエ変換（ＦＦＴ）ユニット１１０、パケット検出ユニット１１２、およびデコードユニット１１４を含んでいてもよい。ＷＬＡＮトランシーバ１０４は、アンテナ１１８に結合されている無線周波数（ＲＦ）ブロック１１６も含んで、ワイヤレス信号の送信および受信を提供するのに必要な、アナログ処理およびＲＦ変換を提供してもよい。示していないが、ＲＦブロック１１６は、受信したＲＦ信号を増幅するための１つ以上の増幅ステージ、不必要な周波数の帯域を取り除くための１つ以上のフィルタリングステージ、受信したＲＦ信号をダウンコンバートするためのミキサステージ、受信した信号増幅レベルの範囲に対して適切なレベルに利得を調節するための自動利得制御（ＡＧＣ）機能性、受信したＲＦ信号をデジタル信号に変換するためのアナログデジタル変換器（ＡＤＣ）、およびこれらに類するもののような、従来のコンポーネントを含んでいてもよい。描いた実施形態において、ＷＬＡＮトランシーバ１０４は、単一のアンテナとともに示されているが、複数入力複数出力（ＭＩＭＯ）システムにおけるように、１つ以上のアンテナを所望のように用いてもよく、または、１つ以上のアンテナを他のワイヤレス通信プロトコルと共有してもよい。
【００４３】
［００５０］
示すように、ＰＨＹレイヤ１０８は、ＦＦＴユニット１１０を含み、受信した信号上で計算を実行してもよい。ＦＦＴユニット１１０による到来信号の分析は、「ビン」と呼ばれる、規定された周波数範囲内で位相および大きさの情報を提供してもよい。受信した信号が、有効なＷＬＡＮ送信であるとき、ＦＦＴユニット１１０は、データ信号を復調して、ペイロードを復元してもよい。１つの態様において、ＦＦＴユニット１１０は、各ビンにおける受信した信号の大きさまたは強度を測定してもよい。例えば、デジタルベースバンド信号中の同位相（Ｉ）および直角位相（Ｑ）成分の絶対値または２乗を加算することによって、電力を測定してもよい。信号電力は、受信信号強度インジケーション（ＲＳＳＩ）の形態で、関係付けられている周波数において送信されているデータ信号の存在を示してもよい。ＦＦＴユニット１１０の出力は、「ＦＦＴ捕捉」とも呼ばれ、増加した帯域幅に関係付けられている周波数に渡る、何らかの受信した信号のスペクトログラムを表してもよく、ＦＦＴユニット１１０の出力を以下で議論するように分析して、アクティブなＢＳＳの潜在的な存在を識別してもよい。
【００４４】
［００５１］
ＰＨＹレイヤ１０８はまた、パケット検出ユニット１１２を含んで、受信した信号中のＷＬＡＮ情報の存在を識別するのを手助けしてもよい。例えば、パケット検出ユニット１１２は、受信した信号中のトレーニングフィールドの存在を識別するように構成されていてもよい。１つの態様において、有効なＷＬＡＮパケットの情報は、短トレーニングフィールド（ＳＴＦ）の形態で、バーカーコードのような既知の情報の反復パターンを有するプリアンブルを含んでいてもよい。パケット検出ユニット１１２は、１つ以上の相関器を使用して、受信した信号が既知のパターンに一致する程度に比例する相互相関信号を発生させてもよい。所望のように、パケット検出ユニット１１２はまた、１つ以上の相関器を使用して、その後に受信した信号が以前に受信した信号と一致する程度に比例する自己相関信号を発生させて、ＷＬＡＮパケットを特徴付けることができるサイクリック反復トレーニングフィールドの存在のインジケーションを提供してもよい。以下でさらに説明するように、パケット検出ユニット１１２は、単一の検出チェーン、または、それぞれが、増加した帯域幅のサブセットを処理することができる、複数のパラレルチェーンを含んでいてもよい。１つの実施形態において、パケット検出チェーンは、２０ＭＨｚの帯域幅を処理してもよい。別の実施形態において、４つのパケット検出チェーンをパラレルに用いて、８０ＭＨｚの帯域幅を同時に処理してもよい。
【００４５】
［００５２］
さらに、ＰＨＹレイヤ１０８は、例えば、送信の前に適用されるエンコードに依存して、復調すること、デインターリーブすること、およびデコードすることを含む、受信した信号上で適切なデジタル信号処理動作を実行するために示されるデコードユニット１１４も含んでいてもよい。技術的に知られているように、デコードユニット１１４は、パケット検出ユニット１１２からの、タイミングおよび周波数オフセット情報ならびに／あるいはチャネル推定情報を用いて、デジタル信号処理動作を実行してもよい。デコードユニット１１４は、単一コア、または、それぞれが、パケット検出ユニット１１２のパケット検出チェーンのうちの１つの出力を処理するように構成されている、複数のパラレルコアを用いてもよい。したがって、１つの実施形態において、単一コアを用いて、１つ以上のパケット検出チェーン出力をシリアルに処理してもよい。別の実施形態において、候補チャネル上のアクティブネットワークに対する識別情報のような、受信した信号からの情報の出力および復元のパラレル処理をできるようにするために、１つのデコードコアを各パケット検出チェーンに対して提供してもよい。識別情報は、ネットワークのＳＳＩＤを含んでいてもよい。
【００４６】
［００５３］
ワイヤレス通信デバイス１０２は、ワイヤレス通信デバイス１０２の機能に伴う、さまざまな計算および動作を実行するように構成されているホストＣＰＵ１２０も含んでいてもよい。示すように、ホストＣＰＵ１２０は、周辺コンポーネント相互接続エクスプレス（ＰＣＩｅ）バス、ユニバーサルシリアルバス（ＵＳＢ）、ユニバーサル非同期受信機／送信機（ＵＡＲＴ）シリアルバス、適切なアドバンストマイクロ制御装置バスアーキテクチャ（ＡＭＢＡ）インターフェース、シリアルデジタル入出力（ＳＤＩＯ）バス、または、他の同等のインターフェースとして実現してもよいバス１２２を通して、ＷＬＡＮトランシーバ１０４に結合されている。１つの実施形態において、バス１２２を通してホストＣＰＵ１２０によってアクセスされる、メモリ１２４中に記憶されたソフトウェア命令として、ＷＬＡＮおよび補助システムのプロトコルスタックの上側レイヤを実現してもよい。
【００４７】
［００５４］
ワイヤレス通信デバイス１０２は、図１中に示した実施形態に対して描いているように、メモリ１２４中に記憶されているソフトウェア命令として実現される、スキャン制御装置１２６を含んでいてもよい。他の実施形態において、ＭＡＣ１０６およびＰＨＹレイヤ１０８に結合されている専用ハードウェア回路として、または、ソフトウェア、ファームウェアおよびハードウェアの何らかの適切な組み合わせとして、スキャン制御装置１２６を実現してもよい。ワイヤレス通信デバイス１０２は、１つの受信機チェーンで描かれているが、任意の数の受信機チェーンを用いてもよく、任意の数の受信機チェーンは、適切な機能性ブロック含んでいて、さまざまな受信機チェーンからの出力を組み合わせてもよい。
【００４８】
［００５５］
１つの実施形態において、ワイヤレス通信デバイス１０２は、ＦＦＴユニット１１０によって、増加した帯域幅に渡ってＦＦＴサンプルを取得することを含む、スキャンプロセスを実行してもよい。予め定められたしきい値を超える強度を有する信号が検出される場合、スキャン制御装置１２６は、信号が範囲内のネットワークからの送信を表わしていそうであると解釈するように構成されていてもよい。上記で着目したように、受信した信号の強度を、ＲＳＳＩとして測定してもよい。加えて、しきい値を超える隣接ＦＦＴビンの数を分析して、受信した信号が、ノイズまたは他の干渉に関係付けられているかもしれない、ナローバンド特性またはＷＬＡＮパケットのワイドバンド特性を有するか否かを決定してもよい。ＦＦＴ捕捉のスペクトル分析は、ＡＤＣ電力および飽和、ＲＦ飽和、および／または、インバンド信号ドループの可能性のような、要因に対応することも含んでいてもよい。さらに、アクティブネットワークの存在に相関するパターンが出現するように、検出パラメータを経時的に調節してもよい。例えば、増加した帯域幅スペクトルの異なる部分が、異なる応答特性を有しているかもしれないので、増加した帯域幅内の相対ロケーションに依存して異なるしきい値が適用されるか、または、そうでなければ、不均一信号応答の決定をしたとき、選択にバイアスがかけられるかもしれない。別の実施形態において、フィルタバンク構成中の、デジタル帯域通過フィルタおよびデジタルミキサのグループを使用して、ＦＦＴユニット１１０の機能を実行して、受信した信号を、所望のように複数の周波数サブバンドに分離してもよい。
【００４９】
［００５６］
ＷＬＡＮアクティビティの特性に対応する候補信号の検出をしたとき、主チャネルとして対応する２０ＭＨｚにスイッチして、受信した信号をデコードするように進むように、ＷＬＡＮトランシーバ１０４を構成してもよい。基準を満たす複数の信号が検出された場合、ＷＬＡＮトランシーバ１０４は最初に最も強い２０ＭＨｚチャネルにスイッチして、その後、所望される場合、他の識別されたチャネルをシーケンシャルにスキャンしてもよい。ワイヤレス通信デバイス１０２は、アクティブネットワークに対するＳＳＩＤの形態で識別情報を受信することによるように、その後、そのチャネル上でビーコンまたは他の送信を受信してデコードし、情報を復元し、アクティブネットワークの存在を決定してもよい。
【００５０】
［００５７］
ＦＦＴユニット１１０の出力を表す例示的なＦＦＴ捕捉が図２中に描かれている。示すように、各ビンにおける信号の大きさを、しきい値２０２と比較してもよい。グループ２０４のようなビンの十分なグループがしきい値を超えると決定すると、スキャン制御装置１２６はＷＬＡＮトランシーバを主２０ＭＨｚチャネル２０６にスイッチさせて、そのチャネル上の送信を受信させてもよい。ビーコンの受信に成功すると、ワイヤレス通信デバイス１０２はＳＳＩＤ、および、オプション的に、関係付けられているネットワークの他の特性を決定してもよい。
【００５１】
［００５８］
ＡＧＣのパラメータのような、ワイヤレス通信デバイス１０２のコンフィギュレーションに依存して、ＦＦＴユニット１１０を使用するＷＬＡＮスキャンの感度は、おおよそ−８５ｄＢｍであってもよい。増加した感度を提供するために、スキャン制御装置１２６は、パケット検出ユニット１１２からの出力も取得して、範囲内のネットワークからの送信を表していそうな１つ以上の受信信号を識別することを手助けしてもよい。
【００５２】
［００５９］
ＰＨＹレイヤ１０８は、パケット検出ユニット１１２も含んでいて、受信信号中のＷＬＡＮ情報の存在を識別することを手助けしてもよい。上記で議論したように、パケット検出ユニット１１２は、有効なＷＬＡＮパケット中に存在するトレーニングフィールドを識別するために使用してもよい、相関出力を提供する１つ以上の検出チェーンを有していてもよい。例えば、相関出力は、有限インパルス応答（ＦＩＲ）電力であってもよい。このように、各検出チェーンは、２０ＭＨｚの帯域幅を有するサブセットのような、増加した帯域幅の周波数のサブセットを処理して、０．８μｓ毎のような、トレーニングフィールドの持続時間に対応する期間でＦＩＲ電力を出力してもよい。１つの実施形態において、パケット検出ユニット１１２は単一のパケット検出チェーンを有していてもよく、増加した帯域幅の各サブセットをシーケンシャルにスキャンするように構成してもよい。他の実施形態において、パラレル検出チェーンを用いて、増加した帯域幅の複数のサブセットを同時に処理してもよい。１つの実施形態において、２０ＭＨｚの帯域幅をそれぞれ有する４つのパラレルチェーンを、８０ＭＨｚの増加した帯域幅を同時に処理するために使用してもよい。複数のパラレル検出チェーンを用いることによって、より早いスキャンを実行できるが、増加したハードウェアおよびシステム要件ならびに／あるいは増加した電力消費を伴うかもしれない。ＷＬＡＮトランシーバ１０４のコンフィギュレーションおよび特性と、スキャンを実行することに費やす時間量とに依存して、おおよそ−９０ｄＢｍまたはより大きい感度を有するような候補信号のより敏感な検出を、パケット検出ユニット１１２の出力は提供してもよい。
【００５３】
［００６０］
したがって、スキャン制御装置１２６によって、パケット検出ユニット１１２の出力を使用して、受信した信号が、範囲内のネットワークからの送信を表していそうであると解釈してもよい。ＷＬＡＮトランシーバ１０４は、増加した相関信号に対応する主チャネルにスイッチして、ビーコンのような送信を受信してもよい。パケット検出ユニット１１２を通した信号検出は、ＦＦＴユニット１１０を通してよりも比較的より敏感であるかもしれないことから、ＷＬＡＮトランシーバ１０４は、より強い信号を表しているかもしれないとして、ＦＦＴユニット１１０によって識別された主チャネルに優先的にスイッチしてもよい。代替的に、または、信号がＦＦＴユニット１１０によって検出されない場合、ＷＬＡＮトランシーバ１０４は、受信した信号が現在のチャネルよりもより強い場合のみ、パケット検出ユニット１１２によって識別された主チャネルにスイッチしてもよい。
【００５４】
［００６１］
１つの態様において、パケット検出ユニット１１２によって実行される相関動作は、受信したパケットのタイプを反映していてもよい。図３は到来信号を概略的に描いている。トレース３０２は、アンテナ１１８によって受信された信号の、パケット検出ユニット１１２によって提供された入力を表している。有効なパケットを有する到来信号は、時間ｔ０からｔ１によって示されるようなプリアンブル部分と、時間ｔ１からｔ２によって示されるようなデータ部分とを含んでいるかもしれない。異なる相関動作から結果的に生じるさまざまな例示的な出力を図４〜６中に描いている。例えば、図４は、自己相関動作の出力を表している。トレース４０２は、０．８μｓ期間に渡る相関から結果的に生じる、到来パケットのプリアンブルに対応するローブ４０４を示している。所望のように、図４において示す出力は、８０２．１１ａ／ｇ／ｎ／ａｃプロトコルに準拠するパケットのブリアンブルを検出するために使用してもよい。次に、図５は、ガードインターバル（ＧＩ）相関動作の出力を表している。トレース５０２は、プリアンブルに対応する初期ローブ５０４と、パケットデータの本体を形成する、各直交周波数分割多重（ＯＦＤＭ）シンボルに先行するＧＩに対応するローブ５０６および５０８とを示している。ローブ５０６および５０８のような、ＯＦＤＭシンボルのＧＩに対応する相関ピークは、３．２μｓ相関間隔と、０．４μｓまたは０．８μｓの積分時間とをそれぞれ反映する、３．６μｓまたは４μｓの間隔で生じてもよい。所望のように、図５において示す出力は、８０２．１１ａ／ｇ／ｎ／ａｃプロトコルに準拠するパケットのブリアンブルを検出するために使用してもよい。さらに、図６は、バーカーコード相関動作の出力を表している。トレース６０２は、到来パケットのプリアンブル中に、ＳＴＦに対応するおおよそ１μｓのパルス幅を有するローブ６０４および６０６を示している。所望のように、図６中に示す出力は、８０２．１１ｂプロトコルに準拠するパケットのプリアンブルを検出するために使用してもよい。
【００５５】
［００６２］
上記で説明したように、パケット検出ユニット１１２は、パラレル検出チェーンを用いて、増加した帯域幅の複数のサブセットを同時にスキャンしてもよい。１つの実施形態において、デコードユニット１１４は、単一の処理コアを用いて、パラレル検出チェーンのうちの１つから出力を受け取ってもよい。ＦＦＴユニット１１０およびパケット検出ユニット１１２に関して上記で説明した技術を適用して、増加した帯域幅に渡って受信信号をスペクトル分析し、例えば、範囲内のネットワークからの送信を表していそうな信号を有する、主２０ＭＨｚチャネルを識別してもよい。その後、主２０ＭＨｚチャネル上で送信されるビーコンが適切にデコードされ、情報が受信されるように、デコードユニット１１４の単一処理コアを使用して、主２０ＭＨｚチャネルに対応する検出チェーンからの出力を受け取ってもよい。別の実施形態において、デコードユニット１１４は、パケット検出チェーンのそれぞれに１つのような、複数の処理コアを用いてもよい。このようにして、デコードユニット１１４は、増加した帯域幅の複数のサブセットを同時に処理できてもよい。例えば、２０ＭＨｚの帯域幅で動作する、４つのパケット検出チェーンを有する実施形態において、デコードユニット１１４は、４つのデコード処理コアを提供して、チャネルを主２０ＭＨｚチャネルに明示的にスイッチする必要なく、検出チェーンからの出力を同時に受け取り、増加した帯域幅内で送信されるビーコンを直接復元してもよい。
【００５６】
［００６３］
よって、上記で説明した技術にしたがうと、アクティブネットワークを有していそうな候補チャネルを識別するための、増加した帯域幅のスペクトル分析は、ＦＦＴユニット１１０および／またはパケット検出ユニット１１２からの出力を分析することを含んでいてもよい。このような技術を使用するＷＬＡＮスキャンは、従来のスキャンプロセスと比較して、利用可能なネットワークのより早い識別を提供できる。本開示の増加した帯域幅スキャン技術は従来のＷＬＡＮスキャンと同じ感度を有していないかもしれないが、特に、ワイヤレス通信デバイス１０２が、既にＷＬＡＮと関係付けられていて、バックグラウンドにおいて、増加した帯域幅スキャンプロセスを実行して、向上した性能を提供できる代替利用可能ネットワークを識別するとき、比較的強いネットワークを見つける能力が望ましいかもしれない。別の態様において、本開示の増加した帯域幅スキャンプロセスは、所望の使用レートで、従来のＷＬＡＮスキャンと組み合わせてもよい。例えば、その有効性のために、増加した帯域幅スキャンを、より頻繁に使用する一方で、範囲内のネットワークの包括的な識別を促進するために、従来のＷＬＡＮスキャンを実行する頻度を減してもよい。別の態様において、増加した帯域幅スキャンと従来のＷＬＡＮスキャンとの間の選択は、ワイヤレスデバイス通信デバイス１０２の関係付け状態によって命令されてもよい。ワイヤレス通信デバイス１０２が現在ＢＳＳに関係付けられているときには、増加した帯域幅スキャンプロセスを、バックグラウンド中で実行して、他のネットワークの潜在的存在を識別してもよく、ワイヤレス通信デバイス１０２が関係付けられていないときには、従来のＷＬＡＮスキャンを実行してもよい。
【００５７】
［００６４］
上記で説明したように、本開示の増加した帯域幅スキャン技術を使用して、アクティブなネットワークを有していそうな候補チャネルを識別してもよい。ビジーネットワーク環境において、候補チャネルの検出は、比較的より頻繁に生じるかもしれない。さらに、異なるチャネル上のビーコンは、時間的にオーバーラップするかもしれず、または、現在のチャネル上の通常パケット検出は、ビーコン受信と干渉するかもしれない。ＷＬＡＮトランシーバ１０４が、スキャンにおいて識別された主チャネルに余りにも頻繁にスイッチすることによるような、性能の潜在的な低下を相殺するのを手助けするために、さまざまなストラテジーを用いてもよい。例えば、ＰＨＹレイヤ１０８における動作は、増加した帯域幅スキャンの間、到来パケットの受信を中止することを伴うかもしれない。代替ネットワークを探しているときのような、信号強度が低すぎると決定した後と、パケットがビーコンではないときのような、到来パケットが対象ではないと決定した後と、または、ＳＳＩＤのような、パケットの所望の部分を受信した後とを含む、何らかの適切なトリガを使用して、到来パケットの受信を中止してもよい。到来パケットの受信を中止することにより、到来パケットが終了するのを待つ必要なく、他のパケットの受信を実行してもよい。さらにＰＨＹレイヤ１０８は、到来パケットによって運ばれる情報を使用して、受信挙動を調節してもよい。例えば、到来パケットが対象ではないとき、例えば、レガシー信号（Ｌ−ＳＩＧ）フィールドまたは他の適切なフィールドから、パケットの長さを決定してもよい。その結果、ＷＬＡＮトランシーバ１０４は、性能を低下させることなく、増加した帯域幅スキャンの一部として、この期間の持続時間の間に、このチャネルから候補チャネルにスイッチできる。またさらに、増加した帯域幅スキャンの間、何らかの潜在的に失われるビーコンを軽減するために、ビーコンに加えて、すべての受信したトラフィックのＳＳＩＤを監視してもよい。次に、すべてのトラフィックから取得したＳＳＩＤのリストを、関係付けリスト上のＳＳＩＤと比較して、受動的スキャン時間を低減してもよい。
【００５８】
［００６５］
別の実施形態において、本開示の増加した帯域幅スキャン技術を使用するアクティブＷＬＡＮトラフィックの検出は、後続するアクティブスキャンプロセスをトリガしてもよい。例えば、ワイヤレスデバイス通信デバイス１０２は、プローブ要求を送って、ＡＰからの応答を引き起こしてもよい。アクティブＷＬＡＮトラフィックの存在は、そのチャネル上で動作するＡＰがレーダ信号を検出していないと示すことから、動的周波数選択（ＤＦＳ）要件に違反することなく、アクティブなスキャンが許容される。
【００５９】
［００６６］
上記で説明した、増加した帯域幅スキャンの態様を図示するのを手助けするために、図７は、本開示の１つの例示的なルーチンを示すフローチャートを表している。７０２で始まり、スキャン制御装置１２６は、増加した帯域幅スキャンを開始してもよい。向上した性能を提供する代替利用可能ネットワークを識別するのを手助けするために、増加した帯域幅スキャンをバックグラウンド手順として周期的に実行してもよく、あるいは、ＷＬＡＮトランシーバ１０４がアクティブ化されることや、関係付け状態における変化や、または他の何らかの適切な条件のようなイベントによって、増加した帯域幅スキャンがトリガされてもよい。７０４において、スキャン制御装置１２６は、ＦＦＴユニット１１０によって出力された、増加した帯域幅のＦＦＴ捕捉を受け取ってもよい。７０６において、ＦＦＴ捕捉のスペクトル分析に基づいて、十分な数のＦＦＴビンがしきい値を超えるＲＳＳＩを有しているか否かのような、アクティブなネットワークの存在に関係付けられているかもしれない特性を受信した信号が有しているか否かを、スキャン制御装置１２６は決定してもよい。ＦＦＴユニット１１０からの出力が、候補チャネルが存在することを示す場合、ＷＬＡＮトランシーバ１０４が、ＦＦＴ捕捉によって示された主チャネルにスイッチして、そのチャネル上に送信されるかもしれない、任意のビーコンを受信して情報を復元できるように、ルーチンを７０８に継続してもよい。
【００６０】
［００６７］
代替的に、７０６において、十分な強度のチャネルが識別されない場合、ルーチンは７１０に分岐して、スキャン制御装置は、パケット検出ユニット１１２からの出力のスペクトル分析を実行してもよい。上記で議論したように、これは、単一のパケット検出チェーンを使用して、増加した帯域幅のサブセットをシーケンシャルに分析することを伴ってもよく、または、パラレルパケット検出チェーンを使用して、増加した帯域幅の複数のサブセットを分析することを伴ってもよい。７１２によって表されているように、デコードユニット１１４が、単一の処理コアを用いる場合、７１４において、パケット検出ユニット１１２の出力によって識別される候補チャネルが、現在関係付けられているネットワークと関係付けられている信号よりも、十分により強いか否かをスキャン制御装置１２６は決定してもよい。１つの態様において、これは、最も強い相関を示す増加した帯域幅のサブセットのＦＩＲ電力を測定することを含んでいてもよい。候補チャネルが十分に強くない場合、ルーチンから出てもよいことが７１６において示されている。そうでなければ、７１８において、チャネル上で送信されるビーコンが受信されるように、スキャン制御装置１２６は、パケット検出ユニット１１２の出力によって決定された所望のチャネルにＷＬＡＮトランシーバ１０４をスイッチさせてもよい。７１２によって示されているように、デコードユニット１１４が、複数の利用可能な処理コアを有する場合、処理コアが、パラレルパケット検出チェーンによって提供される出力を同時にデコードして、何らかの受信したビーコンからの情報を復元するように、ルーチンは代わりに７２０に進んでもよい。
【００６１】
［００６８］
現在の好ましい実施形態をここで説明した。しかしながら、当業者は、本開示の原理が、適切な改良により、他の用途に容易に拡張することができると理解するだろう。
【図１】
2016523499.tif 000003
【図２】
2016523499.tif 000004
【図３】
2016523499.tif 000005
【図４】
2016523499.tif 000006
【図５】
2016523499.tif 000007
【図６】
2016523499.tif 000008
【図７】
2016523499.tif 000009
【国際調査報告】
2016523499.tif 000010
2016523499.tif 000011
2016523499.tif 000012